(57)【要約】  【課題】  電気分解により給水経路の水に金属イオンを添加する機能を有するとともに安全性に富んだ洗濯機を提供する。  【解決手段】  洗濯物投入口を覆う蓋２と、給水経路８に設けられるイオン溶出ユニット１９内の複数の電極と、制御装置１６内に設けられ前記電極間に電圧を印加する電圧印加回路とを備え、前記電極間に水が介在している状態で前記電極間に電圧を印加することにより陽極である電極から金属イオンを溶出させる洗濯機において、蓋２が開いているときは前記電圧印加回路が前記電極間に電圧を印加しないようにする。【選択図】      図１
2006325699.tif 000002
【特許請求の範囲】
【請求項１】
洗濯物投入口を覆う蓋と、給水経路に設けられる複数の電極と、前記電極間に電圧を印加する電圧印加回路とを備え、前記電極間に水が介在している状態で前記電極間に電圧を印加することにより陽極である電極から金属イオンを溶出させる洗濯機において、
前記蓋が開いているときは前記電圧印加回路が前記電極間に電圧を印加しないことを特徴とする洗濯機。
【請求項２】
前記金属イオンの溶出行程が終了していない状態で前記蓋が開いたときは前記給水経路への給水を停止する請求項１に記載の洗濯機。
【請求項３】
前記蓋を閉まっている状態でロックする蓋ロック手段を備え、前記金属イオンの溶出行程中は、前記蓋ロック手段により前記蓋が閉まっている状態でロックされる請求項１または請求項２に記載の洗濯機。
【請求項４】
前記電圧印加回路と前記電極との間にスイッチング手段を備える請求項１〜３のいずれかに記載の洗濯機。
【請求項５】
前記スイッチング手段が、前記蓋の開閉に機械的に連動して接点が開閉するスイッチである請求項４に記載の洗濯機。
【発明の詳細な説明】
【技術分野】
【０００１】
本発明は、洗濯機に関し、特に電気分解により給水経路の水に金属イオンを添加する機能を有する洗濯機に関する。
【背景技術】
【０００２】
洗濯の都度洗濯物を抗菌処理する機能を有する洗濯機が提案されている。例えば特許文献１には給水経路に複数の金属電極を設け、この金属電極間に電圧を印加して洗濯槽内へ給水される水に抗菌性のある金属イオンを溶出させることによって、洗濯物を抗菌処理する洗濯機が開示されている。
【０００３】
給水経路に設けられた複数の金属電極に電圧を印加するための電圧印加回路としては、例えば、商用電源（ＡＣ１００Ｖ）から供給される交流電圧を降圧トランスで降圧し、降圧された交流電圧を整流、平滑して直流電圧とし、この直流電圧をトランジスタなどのスイッチ素子のオン動作により金属電極間へ印加する回路が一般的である。
【０００４】
給水経路に水が流れているときは、金属電極と洗濯槽に給水される水とが電気的につながっている状態であるため、給水中の水に使用者が手を触れた場合、金属電極を触れているのと同等の状態になる。従って、前記降圧トランスの一次側（商用電源側）と二次側（金属電極側）を絶縁する構成や、前記降圧トランスにより金属電極間に印加する電圧を商用電源の電圧に比べて低くする構成等を採用して使用者が感電する等の虞を回避している。
【特許文献１】特開２００４−１７３７１７号公報
【発明の開示】
【発明が解決しようとする課題】
【０００５】
しかしながら、上記一般的な電圧印加回路を有する従来の洗濯機において、何らかの原因で降圧トランスが破損し、降圧トランスの１次側と２次側との絶縁がなくなった場合、金属電極間へ商用電源の電圧が印加される状態となる虞がある。また、何らかの原因で電圧印加回路内の部品が故障して金属電極間に印加する電圧を正常に制御できなくなった場合、金属電極間へ比較的高い電圧が印加される状態となる虞がある。そして、上述したような状態において、給水中の水に使用者が触れた場合には使用者が感電してしまう。
【０００６】
本発明は、上記の問題点に鑑み、電気分解により給水経路の水に金属イオンを添加する機能を有するとともに安全性に富んだ洗濯機を提供することを目的とする。
【課題を解決するための手段】
【０００７】
上記目的を達成するために本発明に係る洗濯機は、洗濯物投入口を覆う蓋と、給水経路に設けられる複数の電極と、前記電極間に電圧を印加する電圧印加回路とを備え、前記電極間に水が介在している状態で前記電極間に電圧を印加することにより陽極である電極から金属イオンを溶出させる洗濯機であって、前記蓋が開いているときは前記電圧印加回路が前記電極間に電圧を印加しないようにしている。
【０００８】
このような構成によると、電気分解により給水経路の水に金属イオンを添加することができる。また、このような構成によると、前記蓋が開けられた状態では前記電極間へ電圧が印加されないので、給水中の水に使用者が触れた場合に使用者が感電する虞がなくなり、安全性が向上する。
【０００９】
また、上記構成の洗濯機において、前記金属イオンの溶出行程が終了していない状態で前記蓋が開いたときは前記給水経路への給水を停止するようにしてもよい。これにより、前記金属イオンの溶出行程が終了していない状態において、前記電極に電気的につながっている水に使用者が触れる虞がなくなるので、より一層安全性が向上する。また、前記蓋が開いていることに伴って前記金属イオンの溶出を一時的に停止しているときに給水が行われることを防止することができるので、洗濯槽内の前記金属イオンの濃度を設定値通りにすることができる。
【００１０】
また、上記各構成の洗濯機において、前記蓋を閉まっている状態でロックする蓋ロック手段を備え、前記金属イオンの溶出行程中は、前記蓋ロック手段により前記蓋が閉まっている状態でロックされるようにしてもよい。これにより、前記金属イオンの溶出行程中は前記蓋が開かない状態となり給水中の水に使用者が触れることができない状態となるので、より一層安全性が向上する。
【００１１】
また、上記各構成の洗濯機において、前記電圧印加回路と前記電極との間にスイッチング手段を備えるようにしてもよい。これにより、前記スイッチング手段をＯＦＦにすることによって、前記電圧印加回路が前記電極間に電圧を印加しないようにすることができる。
【００１２】
また、前記スイッチング手段を前記蓋の開閉に機械的に連動して接点が開閉するスイッチにしてもよい。これにより、電気系統に故障（例えば、前記蓋の開閉に応じた電気信号を出力する蓋開閉検知装置の故障）が生じても、前記蓋が開いているときは前記電圧印加回路が前記電極間に電圧を印加しないようにすることができる。
【発明の効果】
【００１３】
本発明によると、電気分解により給水経路の水に金属イオンを添加する機能を有するとともに安全性に富んだ洗濯機を実現することができる。
【発明を実施するための最良の形態】
【００１４】
本発明の実施形態について図面を参照して以下に説明する。図１は本実施形態に係る洗濯機の垂直断面概略図である。
【００１５】
図１に示す洗濯機は、上面が開口している箱体である洗濯機本体１を備える。蓋２はヒンジ部によって洗濯機本体１に結合され、垂直面内で回動する。蓋２は、閉じた状態において洗濯機本体１の上面開口部を覆う。
【００１６】
洗濯機本体１の内部には、水槽３と、脱水槽を兼ねる洗濯槽５とが配置される。水槽３、洗濯槽５ともに上面が開口した円筒形のカップ形状であり、各々軸線を垂直にし、水槽３を外側、洗濯槽５を内側とする形で同心的に配置される。水槽３は防振機構４によって弾性支持されている。洗濯槽５は、最上部に環状に配置した複数個の水抜き孔６を有する。洗濯槽５の内部底面には槽内で洗濯水あるいはすすぎ水の流動を生じさせるためのパルセータ７が配置される。
【００１７】
また、蓋２の開閉を検知する蓋開閉検知装置は、蓋２に取り付けられたマグネット１７ａと、マグネット１７ａの磁力で作動するリードスイッチ１７ｂとから成る。
【００１８】
蓋ロック機構は、蓋２に設けられた凹部１８ｂと、洗濯機本体１に設けられた凸部１８ａとから成り、凹部１８ｂに凸部１８ａを挿入し尚かつ後述する負荷駆動回路２５の制御により凸部１８ａが水平方向にスライドしないようにして凹部１８ｂに凸部１８ａが挿入されている状態を保持することにより蓋２をロックすることができる。
【００１９】
給水経路８は洗濯機本体１内の上部に配置される。給水経路８の始端は給水ホース（不図示）を介して水道の蛇口等（不図示）とつながれ、給水経路８の終端は洗濯槽５の内部に臨む位置に設けられている。給水経路８には始端側から順に給水弁９、イオン溶出ユニット１９が設けられている。給水弁９が開成状態であるとき、給水経路８を水が通り、洗濯槽５に洗濯水あるいはすすぎ水が供給される。
【００２０】
水槽３の底部には水槽３及び洗濯槽５の中の水を洗濯機本体１の外に排水する排水ホース１０が取り付けられている。排水ホース１０には排水管１２ａ及び１２ｂから水が流れ込む。排水管１２ａは水槽３の底面の外周寄りの箇所に接続され、排水管１２ｂは水槽３の底面の中心よりの箇所に接続されている。排水管１２ｂには排水弁１１が設けられる。また、排水管１２ｂの排水弁１１の上流側にあたる箇所にはエアトラップが設けられ、当該エアトラップからは導圧管１３が延び出す。導圧管１３の上端には水位センサー１４が接続されており、洗濯槽３内の水位が圧力として導圧パイプ１３を介して水位センサー１４に伝達される。排水管１２ｂの上端は、水槽３と洗濯槽５との間に独立して形成される排水空間及び洗濯槽５の底部に形設した排水口を介して洗濯槽５の内部に連通する。したがって、排水弁１１が開成状態のとき、洗濯槽５内の水は排水路１２ｂ及び排水ホース１０を通り、排水される。
【００２１】
水槽３の下面には、パルセータ７および洗濯槽５を駆動する駆動機構２０が設けられている。駆動機構２０は、洗濯モータ２１の動力をパルセータ７のみに伝えるか、パルセータ７と洗濯槽５の両方に伝えるかを切り換えるクラッチを備える。そして、駆動機構２０により、主として洗い運転や濯ぎ運転時にはパルセータ７のみを一方向または両方向に回転させ、脱水運転時には洗濯槽５とパルセータ７とを一体に一方向に回転させる。
【００２２】
また、運転コースの選択、運転の開始停止などの入力や運転状況や運転コースの選択内容などを表示する操作表示装置１５が洗濯機本体１の上面に配置され、機器全般の制御を行うマイクロコンピュータ（以下、マイコンという）を有する制御装置１６が洗濯機本体１の正面側内部に配置される。
【００２３】
次に、イオン溶出ユニット１９の構造例について説明する。イオン溶出ユニットの水平断面図を図２に示し、電極の斜視図を図３に示す。
【００２４】
イオン溶出ユニット１９はケース１９ａを有する。ケース１９ａは、長手方向の一方の端に水の流入口１９ｂ、他方の端に水の流出口１９ｃを備える。
【００２５】
また、イオン溶出ユニット１９は、ケース１９ａの中に２枚の電極１９ｄ、１９ｅを有する。ケース１９ａ内部には、流入口１９ｂから流出口１９ｃへと向かう水流に沿う形で、２枚の板状電極１９ｄ、１９ｅが向かい合わせに配置されている。
【００２６】
ケース１９ａの中に水が存在する状態で電極１９ｄ、１９ｅ間に所定の電圧を印加すると、陽極である電極から電極構成金属の金属イオンが溶出する。電極１９ｄ、１９ｅは、一例として大きさ２０ｍｍ×５０ｍｍ、厚さ１ｍｍ程度の銀プレートとし、電極保持材１９ｆ、１９ｇによって約５ｍｍの距離を隔てて配置する構成とすることができる。また、電極１９ｄと接続端子１９ｈ、及び電極１９ｅと接続端子１９ｉはそれぞれ同一の金属素材であって一体成形される。
【００２７】
次に、本実施形態に係る洗濯機の電気的構成について図４を参照して説明する。図４は本実施形態に係る洗濯機の電気的構成例を示す図である。なお、図４において図１と同一の部分には同一の符号を付す。
【００２８】
制御装置１６は、マイコン２２と、電源回路２４と、負荷駆動回路２５と、イオン制御回路２６と、降圧トランスの１次巻線２７ａと、駆動回路３８とによって構成され、一般家庭用の既設の電力回線から供給される商用電源である交流電源２３から供給される電圧によって駆動する。
【００２９】
マイコン２２は、電源回路２４から電圧が供給されればその動作を開始し、記憶されているプログラムに従って各種の制御を行う。マイコン２２は、操作表示装置１５、蓋開閉検知装置１７、水位センサー１４、イオン制御回路２６、及び負荷駆動回路２５と接続されており、操作表示装置１５、蓋開閉検知装置１７、及び水位センサー１４からそれぞれ出力される信号を入力し、その入力信号をあらかじめ記憶されているプログラムに従って処理し、その処理結果に基づいて負荷駆動回路２５、操作表示装置１５、イオン制御回路２６それぞれに制御信号を出力し、洗濯機における一連の工程を実行する。電源回路２４は、交流電源２３から供給された交流電圧をマイコン２２及び負荷駆動回路２５それぞれに適した直流電圧に変換し各回路に供給する。負荷駆動回路２５は、洗濯モータ２１、駆動機構２０、排水弁１１、給水弁９、及び蓋ロック機構１８等を駆動する。また、イオン制御回路２６はイオン溶出ユニットの電極１９ｄ、１９ｅ間に電圧を印加する駆動回路３８を制御する。
【００３０】
駆動回路３８は、降圧トランスの２次巻線２７ｂと、整流回路２８と、定電圧回路２９と、定電流回路３０と、電流検知回路３１と、フォトカプラ３３と、フォトカプラ３４と、フォトカプラ３７と、ベースとベース・エミッタ間とにそれぞれ抵抗を有するトランジスタ３５と、ベースとベース・エミッタ間とにそれぞれ抵抗を有するトランジスタ３６とによって構成される。
【００３１】
交流電源２３から出力される交流電圧は、１次巻線２７ａ及び２次巻線２７ｂから成る降圧トランスによって所定の交流電圧に降圧され、整流回路２８によって整流され、定電圧回路２９によって定電圧にされた後、定電流回路３０に送出される。
【００３２】
定電流回路３０は、出力電圧を電極１９ｄ、１９ｅ間の抵抗値の変動に対応し変化させ、常に一定の電流を電極１９ｄ、１９ｅ間に供給するように動作する。また、電流検知回路３１は、定電流回路３０の出力電流を検知し、もし検知した電流が規定値以下になれば、フォトカプラ３７を介してイオン制御回路２６に信号を出力し、イオン制御回路２６は当該信号を入力した場合電極１９ｄ、１９ｅ間へ電圧が印加されないように駆動回路３８を制御する。
【００３３】
電流検知回路３１と電極１９ｄ、１９ｅとの間には、フォトカプラ３３及び３４と、トランジスタ３５及び３６とが設けられる。
【００３４】
イオン制御回路２６の制御により、フォトカプラ３３のフォトトランジスタ及びフォトカプラ３４のフォトトランジスタがともにＯＦＦのときは電極１９ｄ、１９ｅ間に電圧が印加されない。
【００３５】
イオン制御回路２６の制御により、フォトカプラ３３のフォトトランジスタがＯＮ、フォトカプラ３４のフォトトランジスタがＯＦＦのときは、トランジスタ３６のベースに電圧が印加され、トランジスタ３６がＯＮになる。このような状態になると、電極１９ｅが陽極になり、電極１９ｄが陰極になって電極１９ｄ、１９ｅ間に電圧が印加され、電極１９ｄ、１９ｅ間に水が存在する状態であれば電極１９ｄ、１９ｅ間に存在する水を通して電流が流れる。また逆にイオン制御回路２６の制御により、フォトカプラ３３のフォトトランジスタがＯＦＦ、フォトカプラ３４のフォトトランジスタがＯＮのときは、トランジスタ３５のベースに電圧が印加され、トランジスタ３５がＯＮになる。このような状態になると、電極１９ｄが陽極になり、電極１９ｅが陰極になって電極１９ｄ、１９ｅ間に電圧が印加され、電極１９ｄ、１９ｅ間に水が存在する状態であれば電極１９ｄ、１９ｅ間に存在する水を通して電流が流れる。
【００３６】
電極１９ｄ、１９ｅ間に長時間一方向の電流を流すと、陽極側となっている片方の電極のみが減耗するとともに、陰極側となっている電極には水中のカルシウムなどの不純物がスケールとして固着する。また電極の成分金属の塩化物及び硫化物が電極表面に発生する。これらの現象は金属イオンの溶出性能の低下をもたらすので、電流の流れる方向を周期的に反転するようにマイコン２２がイオン制御回路２６を介して駆動回路３８を制御する。
【００３７】
なお、降圧トランスの１次巻線２７ａと２次巻線２７ｂとは電気的に完全に絶縁されており、フォトカプラ３３、３４、及び３７それぞれについて発光ダイオード側とフォトトランジスタ側は電気的に完全に絶縁されている。したがって、電力回線から供給される商用電源である交流電源２３と電極１９ｄ、１９ｅとは電気的に絶縁されている。また、電極１９ｄ、１９ｅと人が触れる可能性がある給水中の水とは給水経路８の水を介して電気的につながっているので、電極１９ｄ、１９ｅ間に印加される電圧は定電圧回路２９によりその最大値が制限されている。これにより、制御装置１６が故障しない限り、人体に安全であると考えられる４０Ｖ程度以下の低い電圧しか電極１９ｄ、１９ｅ間に印加されないようになっている。
【００３８】
次に、本実施形態に係る洗濯機の動作例について図５のフローチャートを参照して説明する。マイコン２２は、あらかじめ記憶されているプログラムにしたがって、次に実施する行程が金属イオンを溶出する給水工程（イオン給水行程）であると判断した場合、イオン給水工程を開始する。イオン給水工程は金属イオンを溶出した水を洗濯槽５に給水し、洗濯物に金属イオンを付着させ、洗濯物へ抗菌作用を付与する工程である。
【００３９】
まず、マイコン２２は、負荷駆動回路２５を介して給水弁９を開成状態にする（ステップ＃１０）。これにより、洗濯槽５への給水が開始される。その後、マイコン２２は、蓋開閉検知装置１７から出力される信号に基づいて蓋２の開閉を判定する（ステップ♯２０）。蓋２が開いていれば（ステップ＃２０のＹＥＳ）、ステップ＃４０に移行するので電極への電圧印加は開始しない。一方、蓋２が閉まっていれば（ステップ＃２０のＮＯ）、ステップ＃３０を経てステップ＃５０に移行するので、電極１９ｄ、１９ｅ間への電圧印加を開始し、金属イオンを水へ溶出させる。
【００４０】
ステップ＃８０において、マイコン２２は、水位センサー１４から出力される信号に基づいて、設定水位の検知の有無を判定する。設定水位を検知すれば（ステップ＃８０のＹＥＳ）、イオン給水行程を終了する。一方、設定水位を検知しなければ（ステップ＃８０のＮＯ）、ステップ＃１０に戻る。
【００４１】
ステップ＃３０において、マイコン２２は、電極１９ｄ、１９ｅ間への電圧印加時間が所定の時間（本実施形態では２分）以上経過しているか否かを判定する。電極１９ｄ、１９ｅ間への電圧印加時間が２分以上経過していれば（ステップ＃３０のＹＥＳ）、電極１９ｄ、１９ｅ間への電圧印加を停止し（ステップ＃４０）、イオン溶出を終了した後、ステップ＃８０に移行する。一方、電極への電圧印加時間が２分以上経過していなければ（ステップ＃３０のＮＯ）、ステップ＃５０に移行するので電極１９ｄ、１９ｅ間への電圧印加を停止しない。
【００４２】
また、ステップ＃５０に続くステップ＃６０において、マイコン２２は、電極１９ｄ、１９ｅ間に印加する電圧が同じ極性で所定の時間（本実施形態では２０秒）以上継続しているか否かを判定する。同じ極性で２０秒以上継続していれば（ステップ＃６０のＹＥＳ）、電極１９ｄ、１９ｅ間に印加する電圧の極性を反転させ（ステップ＃７０）、その後ステップ＃８０に移行する。一方、同じ極性で２０秒以上継続していなければ（ステップ＃６０のＮＯ）、直接ステップ＃８０に移行する。
【００４３】
上述した図５に示すフロー動作により、イオン給水工程中はマイコン２２が蓋２の開閉を常に監視しており、蓋２が開けられた状態では電極１９ｄ、１９ｅ間へ電圧が印加されない。したがって、給水中の水に使用者が触れた場合に使用者が感電する虞がなくなり、安全性が向上する。
【００４４】
次に、本実施形態に係る洗濯機の他の動作例について図６のフローチャートを参照して説明する。なお、図６において図５と同一のステップには同一の符号を付し詳細な説明を省略する。
【００４５】
図６に示すフローは、図５に示すフローにステップ＃２２、＃２４、＃２６、及び＃４２を追加したものである。
【００４６】
図６に示すフローでは、ステップ＃２０での判定の結果、蓋２が開いていれば（ステップ＃２０のＹＥＳ）、マイコン２２は終了フラグが１であるかを判定する（ステップ＃２２）。終了フラグが１でなければ（ステップ＃２２のＮＯ）、すなわちイオン溶出行程が終了していなければ、電極１９ｄ、１９ｅ間への電圧印加を行わないようにし（ステップ＃２４）、マイコン２２は負荷駆動回路２５を介して給水弁９を閉成状態にし（ステップ＃２６）、ステップ＃２０に移行する。一方、終了フラグが１であれば（ステップ＃２２のＹＥＳ）、すなわちイオン溶出行程が終了していれば、ステップ＃８０に移行する。
【００４７】
また、図６に示すフローでは、ステップ＃４０の処理を行った後、直接ステップ＃８０に移行するのではなく、ステップ＃４２においてマイコン２２が終了フラグを１にする処理を行った後、ステップ＃８０に移行する。
【００４８】
上述した図６に示すフロー動作により、イオン溶出行程が終了する前に蓋２が開けられた状態になれば給水を停止し、イオン溶出行程が終了した後であれば蓋２が開けられた状態になっても給水が継続される。したがって、イオン溶出行程が終了していない状態において、電極１９ｄ、１９ｅに電気的につながっている水に使用者が触れる虞がなくなるので、より一層安全性が向上する。また、イオン溶出行程が終了する前に蓋２が開けられた状態になれば給水を停止するので、洗濯槽５内のイオン濃度を設定値通りにすることができる。
【００４９】
次に、本実施形態に係る洗濯機の更に他の動作例について図７のフローチャートを参照して説明する。なお、図７において図６と同一のステップには同一の符号を付し詳細な説明を省略する。
【００５０】
図７に示すフローは、図６に示すフローにステップ＃２８、＃４４、及び＃５２を追加したものである。
【００５１】
図７に示すフローでは、ステップ＃５０の処理を行った後、直接ステップ＃６０に移行するのではなく、ステップ＃５２においてマイコン２２が負荷駆動回路２５を介して蓋ロック機構１８を制御して蓋２を閉まっている状態でロックした後、ステップ＃６０に移行する。
【００５２】
また、図７に示すフローでは、ステップ＃４２の処理を行った後、直接ステップ＃８０に移行するのではなく、ステップ＃４４においてマイコン２２が負荷駆動回路２５を介して蓋ロック機構１８を制御して蓋２のロックを解除した後、ステップ＃８０に移行する。
【００５３】
もし蓋２がロックされている状態にあるにもかかわらずステップ＃２０において蓋２が開いていると判定された場合は、蓋開閉検知装置１７または蓋ロック機構１８に何らかの故障が発生しているはずなので、通常のフローを終了してエラー処理に移行する。すなわち、ステップ＃２６の処理を行った後、ステップ＃２０に移行するのではなく、エラー処理を行う（ステップ＃２８）。エラー処理の一例としては、マイコン２２が操作表示装置１５にエラー表示させる処理が挙げられる。
【００５４】
次に、本実施形態に係る洗濯機の他の電気的構成例を図８に示す。なお、図８において図４と同一の部分には同一の符号を付し詳細な説明を省略する。
【００５５】
図８に示す電気的構成が図４に示す電気的構成と異なる点は、駆動回路３８と電極１９ｄとの間にリレー３９が設けられ、駆動回路３８と電極１９ｅとの間にリレー４０が設けられていることである。
【００５６】
リレー３９の接点の一方は電極１９ｄに接続され、リレー３９の接点の他方はフォトカプラ３４のフォトトランジスタのエミッタに接続される。また、リレー４０の接点の一方は電極１９ｅに接続され、リレー４０の接点の他方はフォトカプラ３３のフォトトランジスタのエミッタに接続される。さらに、リレー３９のコイル側及びリレー４０のコイル側はともにイオン制御回路２６に接続される。このような構成により、マイコン２２がイオン制御回路２６を介してリレー３９及び４０の接点の開閉を制御することが可能となっている。
【００５７】
通常リレー３９及び４０の接点は開成状態であり、電極１９ｄ及び１９ｅと駆動回路３８とは電気的に完全に切り離されている状態となっている。マイコン２２は、電極１９ｄ、１９ｅ間に電圧を印加するときのみ、リレー３９及び４０のコイル側にイオン制御回路２６を通じて接点を閉成させるための信号を出力して、リレー３９及び４０の接点を閉成させ電極１９ｄ及び１９ｅと駆動回路３８とを電気的に接続する。したがって、ステップ＃２４、＃４０の処理を、フォトカプラ３３及び３４をＯＦＦにすることなくリレー３９及び４０の接点を開成状態にすることで実現することができる。
【００５８】
なお、リレー３９及び４０の代わりに、蓋２の開閉と機械的に連動して接点が開閉するスイッチ４１を設けるようにしてもよい。スイッチ４１は２組のノーマルオープン接点を有し、第１のノーマルオープン接点の一方は電極１９ｄに接続され、第１のノーマルオープン接点の他方はフォトカプラ３４のフォトトランジスタのエミッタに接続される。また、第２のノーマルオープン接点の一方は電極１９ｅに接続され、第２のノーマルオープン接点の他方はフォトカプラ３３のフォトトランジスタのエミッタに接続される。スイッチ４１は、図９で示すように、蓋２の開閉に連動して、その接点を開閉するものである。すなわち、蓋２が閉まった状態になればスイッチレバー４２が蓋２により押されることでスイッチレバー４２がスイッチ４１の作動ボタンを押し、第１のノーマルオープン接点及び第２のノーマルオープン接点が閉成状態になる。逆に、蓋２が開いている状態になれば、スイッチレバー４２が蓋２によって押されず、スイッチレバー４２がスイッチ４１の作動ボタンを押さないので、第１のノーマルオープン接点及び第２のノーマルオープン接点が開成状態になる。したがって、蓋２が開いているときは電極１９ｄ及び１９ｅと駆動回路３８とは電気的に完全に切り離されている状態となり、蓋２が閉まっているときは電極１９ｄ及び１９ｅと駆動回路３８とは電気的に接続されている状態となる。ただし、電極１９ｄ、１９ｅ間への電圧印加時間が所定の時間（本実施形態では２分）以上経過した場合に行われるステップ＃４０の処理はスイッチ４１では実現することができないので、フォトカプラ３３及び３４をＯＦＦにすることで実現する。
【００５９】
上述した実施形態ではパルセータを有する洗濯機について説明したが、本発明はこの実施形態に限定されることはなく、パルセータレス構造のダイレクトドライブ式洗濯機やドラム式洗濯機にも適用できる。
【図面の簡単な説明】
【００６０】
【図１】は、本実施形態に係る洗濯機の垂直断面概略図である。
【図２】は、イオン溶出ユニットの水平断面図である。
【図３】は、電極の斜視図である。
【図４】は、本実施形態に係る洗濯機の電気的構成例を示す図である。
【図５】は、本実施形態に係る洗濯機の動作例を示すフローチャートである。
【図６】は、本実施形態に係る洗濯機の他の動作例を示すフローチャートである。
【図７】は、本実施形態に係る洗濯機の更に他の動作例を示すフローチャートである。
【図８】は、本実施形態に係る洗濯機の他の電気的構成例を示す図である。
【図９】は、本実施形態に係る洗濯機の部分垂直断面概略図である。
【符号の説明】
【００６１】
２    蓋
５    洗濯槽
８    給水経路
９    給水弁
１４    水位センサー
１６    制御装置
１７ａ    マグネット
１７ｂ    リードスイッチ
１８    蓋ロック機構
１８ａ    凸部
１８ｂ    凹部
１９    イオン溶出ユニット
１９ｄ、１９ｅ    電極
２２    マイクロコンピュータ
２５    負荷駆動回路
２６    イオン制御回路
３８    駆動回路
３９、４０    リレー
４１    スイッチ
４２    スイッチレバー
【図１】
2006325699.tif 000003
【図２】
2006325699.tif 000004
【図３】
2006325699.tif 000005
【図４】
2006325699.tif 000006
【図５】
2006325699.tif 000007
【図６】
2006325699.tif 000008
【図７】
2006325699.tif 000009
【図８】
2006325699.tif 000010
【図９】
2006325699.tif 000011